(57)【要約】【課題】音漏れ防止リブの充填不足を解消して成形不良率を低下させることのできる電子機器の筐体を提供する。【解決手段】合体されて筐体を構成する樹脂製のフロントケース２及びリアケース３と、フロントケース２及びリアケース３に一体に突設され、開放箱形をなす音漏れ防止リブ３１と、を有し、フロントケース２の音漏れ防止リブ３１の背面開放部と、リアケース３の音漏れ防止リブ３１の前面開放部とが密着して形成される密閉空間に、スピーカ４が配置される電子機器の筐体において、音漏れ防止リブ３１の外面に、音漏れ防止リブ３１の前後方向に延びる複数の線状リブ３１ｄを一体に設ける。【選択図】図３
2008182497.tif 000002
【特許請求の範囲】
【請求項１】
合体されて筐体を構成する樹脂製のフロントケース及びリアケースと、
前記フロントケース及びリアケースに一体に突設され、開放箱形をなす音漏れ防止リブと、
を有し、
フロントケースの前記音漏れ防止リブの背面開放部と、リアケースの前記音漏れ防止リブの前面開放部とが密着して形成される密閉空間に、スピーカが配置される筐体を有する液晶テレビジョン受像器において、
前記リアケースの背面側端部は、該リアケースの側面に近づくほど奥行きが小さくなるような斜面を有し、
リアケースの前記音漏れ防止リブは、前記斜面にその傾斜方向に沿って水平に延びて一端がリアケースの側面まで達する上下の横リブと、前記リアケースの斜面の非傾斜方向に沿って垂直に延びて上下の前記横リブの他端に連結される縦リブと、から成り、
前記縦リブにのみ、前後方向に延びる複数本の線状リブを一体に形成したことを特徴とする液晶テレビジョン受像器。
【請求項２】
合体されて筐体を構成する樹脂製のフロントケース及びリアケースと、
前記フロントケース及びリアケースに一体に突設され、開放箱形をなす音漏れ防止リブと、
を有し、
フロントケースの前記音漏れ防止リブの背面開放部と、リアケースの前記音漏れ防止リブの前面開放部とが密着して形成される密閉空間に、スピーカが配置される電子機器の筐体において、
前記音漏れ防止リブの外面に、該音漏れ防止リブの前後方向に延びる複数本の線状リブを一体に設けたことを特徴とする電子機器の筐体。
【請求項３】
前記リアケースの背面側端部は、該リアケースの側面に近づくほど奥行きが小さくなるような斜面を有し、
リアケースの前記音漏れ防止リブは、前記斜面にその傾斜方向に沿って水平に延びて一端がリアケースの側面まで達する上下の横リブと、前記リアケースの斜面の非傾斜方向に沿って垂直に延びて上下の前記横リブの他端に連結される縦リブと、から成り、
前記縦リブにのみ前記線状リブを設けたことを特徴とする請求項２に記載の電子機器の筐体。
【発明の詳細な説明】
【技術分野】
【０００１】
本発明は、開放箱形の２つのケースから組立てられる電子機器の筐体、特に、スピーカ配設部位を取り囲む箱形リブを有する筐体、及び、このような筐体を有する液晶テレビジョン受像器に関するものである。
【背景技術】
【０００２】
従来の技術について液晶テレビジョン受像器を例にして図面を参照して説明する。図４は従来の液晶テレビジョン受像器のスピーカ配設部位における縦断面図であり、図５は図４の一点鎖線における一部省略水平断面図である。液晶テレビジョン受像器１の筐体は、図４及び図５に示すように、不図示の液晶モジュールや主基板が配設される背面開放箱形のフロントケース２と、フロントケース２の背面開放部に嵌め込みで固定される前面開放箱形のリアケース３と、から構成されている。リアケース３の前面開放部は、外壁面に段差ができるように薄肉に形成されており、フロントケース２の背面開放部に嵌合されるようになっている。このとき、フロントケース２の背面開放部の内壁面に形成された複数のフック部２ａの各々が、リアケース３の前面開放部の壁面を貫通して形成された、複数の長孔から成る係合孔３ａの各々に係合してフロントケース２とリアケース３が合体される。
【０００３】
図４及び図５において４はスピーカであり、スピーカ４は筐体内部の右側端部に配設され、振動板の開拡開口面がフロントケース２の前面に対向するように配置される。スピーカ４から発せられた音声はフロントケース２の前面から筐体外に出て行き、視聴される。このため、筐体にはスピーカ４から発せられる音声を効率よくフロントケース２の前方に導く工夫がなされている。すなわち、図４及び図５に示すように、フロントケース２とリアケース３のそれぞれから一体に立設された音漏れ防止リブ２１、３１の先端（開放部）同士の密着によって内部に密閉空間を作り出し、その内部にスピーカ４を設置することで、音を共鳴させるようにしている。
【０００４】
音漏れ防止リブの形状について、リアケースを例にして説明する。図６は従来の液晶テレビジョン受像器のリアケースを開放側から見た斜視図である。リアケース３の背面の右側端部は、図６に示すように、リアケース３の右側面３ｂに近づくほど奥行きが小さくなるような、不連続な二つの斜面３ｃ、３ｄを有している。音漏れ防止リブ３１は、リアケース３と一体に形成され、斜面３ｃ、３ｄより前方に突出する肉厚の薄いコの字型の囲い壁によって前面開放箱形をなすものである。より具体的には、音漏れ防止リブ３１は、リアケース３の斜面３ｃ、３ｄに跨り、一端がその傾斜方向に沿って水平に延びて右側面３ｂの内面まで達する上下の横リブ３１ａ、３１ｂと、リアケース３の斜面３ｃの非傾斜方向に沿って垂直に延びて上下の横リブ３１ａ、３１ｂの他端に連結される縦リブ３１ｃと、から構成されている。
【０００５】
音漏れ防止リブ３１の開放端、つまりは横リブ３１ａ、３１ｂ、及び、縦リブ３１ｃの前端は、リアケース３の右側面３ｅと直交する面内で面一となっている。従って、図６を見れば理解されるように、リアケース３の斜面３ｃ、３ｄを基準とした音漏れ防止リブ３１の突出長さは、横リブ３１ａ、３１ｂでは延在方向（水平方向）で左端を最大に右へ行くほど短くなるのに対し、縦リブ３１ｃでは延在方向（垂直方向）の全体に亘り横リブ３１ａ、３１ｂの最大突出長さを有して一定である。
【０００６】
図７は従来のリアケース成形用金型の縦断面図であり、図８は図７のｙ−ｙ線における断面図である。リアケース３の成形時には、図７及び図８に示すように、凹部を有する第１の金型１０１と凸部を有する第２の金型１０２とが、凹凸嵌合様に組み合わされる。このとき、凹部と凸部とが所定の間隔をおいて対向し、空洞部１０３が形成される。リアケース３は、この空洞部１０３に溶融した樹脂材料（以下、単に「材料」という）を充填・固化して作られる。材料は、第１の金型１０１を貫通して形成されたインジェクション１０１ａから空洞部１０３に注入され、充填される。
【０００７】
第２の金型１０２には、リアケース３に音漏れ防止リブ３１を形成するための、対応した形状を有する溝１０４が設けられている。この溝１０４は、音漏れ防止リブ３１の横リブ３１ａ、３１ｂに対応した横溝１０４ａ、１０４ｂ（図７参照）と、音漏れ防止リブ３１の縦リブ３１ｃに対応した縦溝１０４ｃ（図８参照）と、によってコの字型をなすように設けられている。つまりは、このコの字型の溝１０４に材料が充填されることで、図６に示すような音漏れ防止リブ３１が形成されるわけである。
【０００８】
しかしながら、縦溝１０４ｃの溝深さは、横溝１０４ａ、１０４ｂのそれよりも大きいために、図８に示すように、材料が縦溝１０４ｃの先端まで行き届かずに固化してしまうという材料の充填不足が起こりやすい。このため、出来上がったリアケース３には、かなりの確率で成形不良が生じ、材料コストが高くなるという問題があった。
【０００９】
なお、特許文献１には、テレビジョン受像器のキャビネットに形成された音導管リブの外側に、スピーカフランジ部を４隅から支持する４本の位置決めリブを一体に形成することが記載されているが、音導管リブは、キャビネット内に密閉空間を作り出してその内部にスピーカを収容するものではないため、上記の音漏れ防止リブとは機能が異なる。また、特許文献２に記載されたスピーカシステムや特許文献３に記載されたスピーカボックスは、スピーカが配置される電子機器の筐体に関するものではない。
【特許文献１】特開２０００−３０７９７４号公報
【特許文献２】特開平１−２３１４９８号公報
【特許文献３】特開昭６０−２３０７９４号公報
【発明の開示】
【発明が解決しようとする課題】
【００１０】
本発明は上記の問題に鑑みてなされたものであり、音漏れ防止リブの充填不足を解消して成形不良率を低下させることのできる電子機器の筐体又はこのような筐体を有する液晶テレビジョン受像器を提供することを目的とする。
【課題を解決するための手段】
【００１１】
上記目的を達成するために、請求項１に記載の液晶テレビジョン受像器は、合体されて筐体を構成する樹脂製のフロントケース及びリアケースと、前記フロントケース及びリアケースに一体に突設され、開放箱形をなす音漏れ防止リブと、を有し、フロントケースの前記音漏れ防止リブの背面開放部と、リアケースの前記音漏れ防止リブの前面開放部とが密着して形成される密閉空間に、スピーカが配置される筐体を有する液晶テレビジョン受像器において、前記リアケースの背面側端部は、該リアケースの側面に近づくほど奥行きが小さくなるような斜面を有し、リアケースの前記音漏れ防止リブは、前記斜面にその傾斜方向に沿って水平に延びて一端がリアケースの側面まで達する上下の横リブと、前記リアケースの斜面の非傾斜方向に沿って垂直に延びて上下の前記横リブの他端に連結される縦リブと、から成り、前記縦リブにのみ、前後方向に延びる複数本の線状リブを一体に形成したことを特徴としている。
【００１２】
また、請求項２に記載の電子機器の筐体は、合体されて筐体を構成する樹脂製のフロントケース及びリアケースと、前記フロントケース及びリアケースに一体に突設され、開放箱形をなす音漏れ防止リブと、を有し、フロントケースの前記音漏れ防止リブの背面開放部と、リアケースの前記音漏れ防止リブの前面開放部とが密着して形成される密閉空間に、スピーカが配置される電子機器の筐体において、前記音漏れ防止リブの外面に、該音漏れ防止リブの前後方向に延びる複数本の線状リブを一体に設けたことを特徴としている。
【００１３】
また、請求項３に記載の電子機器の筐体は、前記リアケースの背面側端部は、該リアケースの側面に近づくほど奥行きが小さくなるような斜面を有し、リアケースの前記音漏れ防止リブは、前記斜面にその傾斜方向に沿って水平に延びて一端がリアケースの側面まで達する上下の横リブと、前記リアケースの斜面の非傾斜方向に沿って垂直に延びて上下の前記横リブの他端に連結される縦リブと、から成り、前記縦リブにのみ前記線状リブを設けたことを特徴としている。
【発明の効果】
【００１４】
請求項１の液晶テレビジョン受像器によると、リアケース成形用の金型は、リアケースに音漏れ防止リブの横リブ及び縦リブを形成するための対応する横溝及び縦溝を有しており、その縦溝に、線状リブを形成するための前後方向に延びる複数本の線状溝が設けられることになるため、縦溝の上下方向のところどころで溝幅が拡大されることになるため、縦溝の根元から先端に向かう材料の流れが、線状溝がない場合に比較して良くなる。このため、材料の充填不足が解消され、リアケースの不良率の低減が図られる。また、線状溝に材料が充填され、固化する結果として、出来上がったリアケースの音漏れ防止リブの縦リブの外面に、前後方向に延びる複数本の線状リブが形成される。これにより、音漏れ防止リブの補強を図ることができる。
【００１５】
さらに、音漏れ防止リブにおいて、最も充填不足の起こりやすいと考えられる縦リブにのみ線状リブを形成したため、横リブにまで線状リブを形成する場合に比較して、材料コストを削減することができる。
【００１６】
請求項２の電子機器の筐体によると、リアケース成形用の金型は、リアケースに音漏れ防止リブを形成するための溝を有しており、その溝に、線状リブを形成するための前後方向に延びる複数本の線状溝が設けられることになるため、溝のところどころで溝幅が拡大される。従って、溝の根元から先端に向かう材料の流れが、線状溝がない場合に比較して良くなる。このため、材料の充填不足が解消され、リアケースの不良率の低減が図られる。また、線状溝に材料が充填され、固化する結果として、出来上がったリアケースの音漏れ防止リブの外面に、前後方向に延びる複数本の線状リブが形成される。これにより、音漏れ防止リブの補強を図ることができる。
【００１７】
また、請求項２の電子機器の筐体によると、音漏れ防止リブにおいて、最も充填不足の起こりやすいと考えられる縦リブにのみ線状リブを形成したため、横リブにまで線状リブを形成する場合に比較して、材料コストを削減することができる。
【発明を実施するための最良の形態】
【００１８】
以下、本発明を実施するための最良の形態について図面を参照して説明する。以下の説明において、図４〜図８に示す従来の液晶テレビジョン受像器と共通の部材には同一の符号を附し、詳しい説明を省略する。
【００１９】
図１は本発明の一実施形態に係る液晶テレビジョン受像器の筐体を構成するリアケース成形用金型の縦断面図であり、図２は図１のｘ−ｘ線における横断面図である。図２に示すように、第２の金型１０２には、縦溝１０４ｃの左側に、前後方向（図２の紙面上下方向）に延びて線状溝１０５が形成されている。線状溝１０５は、縦溝１０４ｃの上下方向（図２の紙面前後方向）に並んで３つ設けられる。なお、図１に示すように、溝深さが縦溝１０４ｃに比べて浅く、材料の充填不足が起こりにくいと考えられる横溝１０４ａ、１０４ｂには線状溝を設けていないが、横溝１０４ａ、１０４ｂに同様の線状溝１０５を形成してももちろん構わない。
【００２０】
この線状溝１０５を形成したことにより、図２に示すように、縦溝１０４ｃ上下方向のところどころで溝幅が拡大されることになるため、縦溝１０４ｃの根元から先端に向かう材料の流れが、線状溝１０５がない場合に比較して良くなる。このため、材料の充填不足が解消され、リアケース３の不良率の低減が図られる。
【００２１】
また、線状溝１０５にも材料が充填され、固化する結果として、図３に示すように、出来上がったリアケース３の音漏れ防止リブ３１の縦リブ３１ｃの外面に、前後方向に延びる複数本の線状リブ３１ｄが形成される。これにより、音漏れ防止リブ３１の補強を図ることができる。
【００２２】
音漏れ防止リブ３１において線状リブ３１ｄを形成する箇所は、最も充填不足の起こりやすいと考えられる縦リブ３１ｃだけで充分である。したがって、横リブ３１ａ、３１ｂにまで線状リブ３１ｄを形成する場合に比較して、材料コストを削減することができる。
【００２３】
本発明は上記実施形態に限定されるものではない。例えば、上記実施形態では、リアケース３の右側端部にのみスピーカ配設用の音漏れ防止リブ３１が形成された場合を説明したが、さらにリアケース３の左側端部にのみ同様の音漏れ防止リブが形成されたもの、或いは、リアケース３の左右両側端部に同様の音漏れ防止リブが形成されたものであっても構わない。
【００２４】
なお、上記の実施形態では液晶テレビジョン受像器を例にして説明したが、本発明は合体されて筐体を構成するフロントケース及びリアケースが合体されて構成される電子機器の筐体であればどんなものにでも適用が可能である。この場合、リアケースは、フロントケースに対して着脱可能或いは開閉可能な蓋であっても構わない。
【図面の簡単な説明】
【００２５】
【図１】は、本発明の一実施形態に係る液晶テレビジョン受像器の筐体を構成するリアケース成形用金型の縦断面図である。
【図２】は、図１のｘ−ｘ線における横断面図である。
【図３】は、上記実施形態に係る液晶テレビジョン受像器のリアケースを開放側から見た斜視図である。
【図４】は、従来の液晶テレビジョン受像器のスピーカ配設部位における縦断面図である。
【図５】は、図４の一点鎖線における一部省略水平断面図である。
【図６】は、従来の液晶テレビジョン受像器のリアケースを開放側から見た斜視図である。
【図７】は、従来のリアケース成形用金型の縦断面図である。
【図８】は、図７のｙ−ｙ線における断面図である。
【符号の説明】
【００２６】
１    液晶テレビジョン受像器（電子機器の一例）
２    フロントケース
３    リアケース
３１  音漏れ防止リブ
３１ａ、３１ｂ  横リブ
３１ｃ  縦リブ
３１ｄ  線状リブ
１０１  （リアケース成形用）第１の金型
１０２  （リアケース成形用）第２の金型
１０４  溝
１０５  線状溝
【図１】
2008182497.tif 000003
【図２】
2008182497.tif 000004
【図３】
2008182497.tif 000005
【図４】
2008182497.tif 000006
【図５】
2008182497.tif 000007
【図６】
2008182497.tif 000008
【図７】
2008182497.tif 000009
【図８】
2008182497.tif 000010